(57)【特許請求の範囲】
【請求項１】
住宅に設けられたエレベーター４０の設置構造であって、
向かい合う壁２０，２１を渡すことによってその住宅内部の空間を、居住空間１１と非居住空間１２とに仕切る仕切板部材３０を備え、
その非居住空間１２は、仕切板部材３０の内側で中仕切板部材１３によって、エレベーター４０の昇降体４１が到着するエレベーター空間４２と物を収納する収納空間１４とに分けられ、
そのエレベーター空間４２は、昇降体４１から居住空間１１への乗降可能とする出入口４３を備え、その出入口４３は仕切板部材３０に接して形成され、
前記仕切板部材３０は、前記エレベーター用空間４２を開閉自在にできるエレベーター用開閉部３１と前記収納空間１４を開閉自在にできる収納用開閉部３２とを備え、そのエレベーター用開閉部３１と収納用開閉部３２とを、前記仕切板部材３０に面一に形成していることを特徴とするエレベーターの設置構造。
【請求項２】
居室１０に設けられたエレベーター４０の設置構造であって、
居室において向かい合う壁２０，２１を渡すことによってその居室１０を、居室空間１１と非居室空間１２とに仕切る仕切板部材３０を備え、
その非居室空間１２は、仕切板部材３０の内側で中仕切板部材１３によって、エレベーター４０の昇降体４１が到着するエレベーター空間４２と物を収納する収納空間１４とに分けられ、
そのエレベーター空間４２は、昇降体４１から居室空間１１への乗降可能とする出入口４３を備え、その出入口４３は仕切板部材３０に接して形成され、
前記仕切板部材３０は、前記エレベーター用空間４２を開閉自在にできるエレベーター用開閉部３１と前記収納空間１４を開閉自在にできる収納用開閉部３２とを備え、そのエレベーター用開閉部３１と収納用開閉部３２とを、前記仕切板部材３０に面一に形成していることを特徴とするエレベーターの設置構造。
【請求項３】
居室１０に設けられた椅子式エレベーター５０の設置構造であって、
その椅子式エレベーター５０は、住宅内の上下方向に連続するエレベーター空間５１内に垂直に設けられたガイドレール５２を介して昇降可能に設けられた昇降体５３と、この昇降体５３を昇降動させうる駆動装置５４とを備え、
上記昇降体５３は、上記ガイドレール５２に昇降可能に固定された床部５５と、この床部５５上に設けられた着座部５６とを備えるとともに箱体に形成した昇降体を備えず、水平方向における姿勢を一定にした状態でガイドレール５２に沿って直線状に昇降できるように形成され、
前記居室１０は、向かい合う壁２０，２１を渡すことによってその居室１０を、居室空間１１と非居室空間１２とに仕切る仕切板部材３０を備え、
その非居室空間１２は、仕切板部材３０の内側で中仕切板部材１３によって、椅子式エレベーター５０の昇降体５３が到着するエレベーター空間５１と物を収納する収納空間１４とを備え、そのエレベーター空間５１は、前記床部５５を仕切板部材３０に接して形成され、
前記仕切板部材３０は、エレベーター用空間５１を開閉自在にできるエレベーター用開閉部３１と前記収納空間１１を開閉自在にできる収納用開閉部３２とを備え、そのエレベーター用開閉部３１と収納用開閉部３２とを、前記仕切板部材３０に面一に形成していることを特徴とする椅子式エレベーター５０の設置構造。
【請求項４】
仕切板部材３０に備えたエレベーター用開閉部３１と収納用開閉部３２とは合一の建具面材を使用して形成されていることを特徴とする請求項１、請求項２、または請求項３記載のエレベーターの設置構造。
【発明の詳細な説明】
【０００１】
【発明の属する技術分野】
本願発明は、エレベーターの設置構造、更に詳しくは、住宅内に設置するエレベーターの設置構造に関する。
【０００２】
【先行技術】
近年、いわゆるホームエレベーターが設けられ、居住者が他の階へ階段を使わずに移動できるように構成されている住宅がある。このホームエレベーターを従来の住宅に設置する場合には、ホームエレベーターを廊下等に設置せず、それによって居室の外へ出ることなく、ホームエレベーターの昇降体へ乗り降りができるように居室の内部にホームエレベーターを設置する場合がある。
【０００３】
そのため、居室の美観を損なうことなくホームエレベーターを設置する必要がある。
そこで、本件特許出願人は、以上のような課題を解決する技術を、日本特許情報機構（登録商標）（ＪＡＰＩＯ（登録商標））の先行技術調査（パトリス（登録商標））の利用により、以下の検索式で昭和５５年以後の特許出願及び実用新案登録出願を調査した。
【０００４】
検索式：Ｂ６６Ｂ９／００Ｆ
その結果、特許出願１３８件、実用新案登録出願７３件を抽出した。これらの出願を精査した結果、類似する技術として特開平２−２１５６７７号を発見した。
この特開平２−２１５６７７号にかかる発明は、ホームエレベータのかご呼び釦をホームエレベーターの出入口を開閉する扉の正面側の所定位置に設けるホームエレベーターである。
【０００５】
この特開平２−２１５６７７号にかかるホームエレベーターによれば、かご呼び釦の設置に伴って居室を形成する壁部の美観を損なうことを防止することができる。
【０００６】
【発明が解決しようとする課題】
しかし、上記した特開平２−２１５６７７号にあっては以下の問題があった。
すなわち、かご呼び釦をホームエレベーターの出入口に設置した扉に設けることにより、ホームエレベーター付近の壁部の美観を損なうことがないようにできても、ホームエレベーターのかごが上下動するための昇降路を囲んでホームエレベーター空間を形成する壁が居室の内部の一角を占める。
また、ホームエレベーターの出入口を開閉する扉が、居室の内部にいる者から見える。そのため、ホームエレベーターの存在が居室の中で独立して見え、居室全体の美観を損なうことがありうる。
【０００７】
そこで、請求項１記載の発明の解決課題は、住宅内部の美観を損なうことなく、エレベーターを設置することができるエレベーターの設置構造を提供することである。
また、請求項２記載の発明の解決課題は、居室の美観を損なうことなく、居室の内部にエレベーターを設置することができるエレベーターの設置構造を提供することである。
【０００８】
また、請求項３記載の発明の解決課題は、居室の美観を損なうことなく、居室の内部に椅子式エレベーターを設置することができる椅子式エレベーターの設置構造を提供することである。
また、請求項４記載の発明の解決課題は、加えて、エレベーターの存在が目立たないエレベーターの設置構造を提供することである。
【０００９】
【課題を解決するための手段】
本発明は、上記した目的を達成するためのものである。
請求項１記載の発明は、住宅に設けられたエレベーター(40)の設置構造であって、向かい合う壁(20,21)を渡すことによってその住宅内部の空間を、居住空間(11)と非居住空間(12)とに仕切る仕切板部材(30)を備え、その非居住空間(12)は、仕切板部材(30)の内側で中仕切板部材(13)によって、エレベーター(40)の昇降体(41)が到着するエレベーター空間(42)と物を収納する収納空間(14)とに分けられ、そのエレベーター空間(42)は、昇降体(41)から居住空間(11)への乗降可能とする出入口(43)を備え、その出入口(43)は仕切板部材(30)に接して形成され、前記仕切板部材(30)は、前記エレベーター用空間(42)を開閉自在にできるエレベーター用開閉部(31)と前記収納空間(14)を開閉自在にできる収納用開閉部(32)とを備え、そのエレベーター用開閉部(31)と収納用開閉部(32)とを、前記仕切板部材(32)に面一に形成していることを特徴とするエレベーターの設置構造である。
【００１０】
ここで、「居住空間(11)」とは、住宅内の空間のうち、住人が立ったり、坐ったりするなど生活を営む空間をいう。例えば、居室や廊下などをいう。
また、「非居住空間(12)」とは、住宅内の空間のうち、物を収納するなどに使用する空間をいう。例えば、クローゼットや物置等をいう。
「住宅内部の空間を居住空間(11)と非居住空間(12)とに仕切る」とは、例えば、居室を居住空間と非居室空間に仕切ったり、あるいは、廊下を人が通る通路と、物を収納する収納空間及びエレベーター空間とに仕切ることをいう。
【００１１】
また、「エレベーター用開閉部と収納用開閉部とを、前記仕切板部材に面一に形成している」とは、エレベーター用開閉部(31)と収納用開閉部(32)とを閉じた状態においては、居室空間(11)側から前記仕切板部材(30)を見たときに同一平面状に形成されていることをいう。エレベーター用開閉部(31)と収納用開閉部(32)において、デザイン的な統一があればなおよい。
【００１２】
エレベーター用開閉部(31)は、昇降体(41)から降りる場合にエレベーター用開閉部(31)が閉じていても居室空間(11)に出ることができるようにするために、また、昇降体(41)に乗る場合にも、昇降体(41)に乗ってからエレベーター用開閉部(31)を閉じることができるように、エレベーター空間(42)側からの開閉が自由にできるように形成する。例えば、エレベーター用開閉部(31)を折りたたみ戸として形成してもよい。この場合には、収納用開閉部(32)も折りたたみ戸、あるいはそれに類似する構造に形成し、収納用開閉部(32)をエレベーター用開閉部(31)のデザインにできれば合わせる。
【００１３】
請求項１記載の発明の作用を説明する。
エレベーター(40)を使用しないときには、エレベーター用開閉部(31)を閉じておく。そうすると、非居住空間(12)の一部にエレベーター(40)を形成するため、居住空間(11)側からみて、エレベーター空間(42)の出入口(43)が目立たなくなる。また、エレベーター用開閉部(31)と収納用開閉部(32)とは面一に形成するため、エレベーター用開閉部(31)を閉じた状態にあっては、非居住空間(12)の中にエレベーター空間(42)が備えられていることが、居住空間(11)からみてわかりにくい。その結果、住宅の中において、エレベーター(40)が目立たなくなり、住宅内部の美観を向上させることができる。
【００１４】
請求項２記載の発明は、居室(10)に設けられたエレベーター(40)の設置構造であって、居室(10)において向かい合う壁(20,21)を渡すことによってその居室(10)を、居室空間(11)と非居室空間(12)とに仕切る仕切板部材(30)を備え、その非居室空間(12)は、仕切板部材(30)の内側で中仕切板部材(13)によって、エレベーター(40)の昇降体(41)が到着するエレベーター空間(42)と物を収納する収納空間(14)とに分けられ、そのエレベーター空間(42)は、昇降体(41)から居室空間(11)への乗降可能とする出入口(43)を備え、その出入口(43)は仕切板部材(30)に接して形成され、前記仕切板部材(30)は、前記エレベーター用空間(42)を開閉自在にできるエレベーター用開閉部(31)と前記収納空間(14)を開閉自在にできる収納用開閉部(32)とを備え、そのエレベーター用開閉部(31)と収納用開閉部(32)とを、前記仕切板部材(30)に面一に形成していることを特徴とするエレベーターの設置構造である。
【００１５】
請求項２記載の発明の作用を説明する。
エレベーター(40)を使用しないときには、エレベーター用開閉部(31)を閉じておく。そうすると、非居室空間(12)の一部にエレベーター(40)を形成するため、居室空間(11)側からみて、エレベーター空間(42)の出入口(43)が目立たなくなる。また、エレベーター用開閉部(31)と収納用開閉部(32)とは面一に形成するため、エレベーター用開閉部(31)を閉じた状態にあっては、非居室空間(12)の中にエレベーター空間(42)が備えられていることが、居室空間(11)からみてわかりにくい。その結果、居室(1O)の中において、エレベーター(40)が目立たなくなり、居室(10)の美観を向上させることができる。
【００１６】
請求項３記載の発明は、請求項１記載の発明を技術的に限定したものであり、椅子式エレベータの設置構造にかかる発明である。すなわち、この請求項３記載の発明は、居室(10)に設けられた椅子式エレベーター(50)の設置構造であって、その椅子式エレベーター(50)は、住宅内の上下方向に連続するエレベーター空間(51)内に垂直に設けられたガイドレール(52)を介して昇降可能に設けられた昇降体(53)と、この昇降体(53)を昇降動させうる駆動装置(54)とを備え、上記昇降体(53)は、上記ガイドレール(52)に昇降可能に固定された床部(55)と、この床部(55)上に設けられた着座部(56)とを備えるとともに箱体に形成した昇降体は備えず、水平方向における姿勢を一定にした状態でガイドレール(52)に沿って直線状に昇降できるように形成され、前記居室(10)は、向かい合う壁(20,21)を渡すことによってその居室(10)を、居室空間(11)と非居室空間(12)とに仕切る仕切板部材(30)を備え、その非居室空間(12)は、仕切板部材(30)の内側で中仕切板部材(13)によって、椅子式エレベーター(50)の昇降体(53)が到着するエレベーター空間(51)と物を収納する収納空間(14)とを備え、そのエレベーター空間(51)は、前記床部(55)を仕切板部材(30)に接して形成され、その仕切板部材(30)は、エレベーター用空間(51)を開閉自在にできるエレベーター用開閉部(31)と前記収納空間(11)を開閉自在にできる収納用開閉部(32)とを備え、そのエレベーター用開閉部(31)と収納用開閉部(32)とを、前記仕切板部材(30)に面一に形成していることを特徴とする椅子式エレベーター(50)の設置構造である。
【００１７】
椅子式エレベーター(50)の駆動装置(54)は、例えば油圧式シリンダ及びピストンを備えた装置の他、ウインチ装置、エアバック装置などを使用してもよい。さらに、ガードレールに沿って形成したラックと、このラックに歯合すると共に昇降体(53)に形成したピニオンギアと、そのピニオンギアを回転させるモーター部とを備えた装置を使用してもよい。
【００１８】
また、昇降体(53)は、その着座部(56)を折りたたみ可能に形成してもよい。エレベーター空間(51)は、昇降体(53)を形成する床部(55)の大きさよりもやや大きな寸法を有して形成するものとする。
請求項３記載の発明の作用を説明する。
椅子式エレベーター(50)を使用しないときには、エレベーター用開閉部(31)を閉じておく。そうすると、非居室空間(12)の一部にエレベーター空間(51)を形成するため、居室空間(11)側からみて、椅子式エレベーター(50)を形成するガードレール(52)や昇降体(53)が居室空間(11)から見て目立たなくなる。この場合、エレベーター用開閉部(31)と収納用開閉部(32)とは面一に形成されるため、エレベーター空間(51)と収納空間(14)とが一体的に見える。従って、居室(1O)の中において、椅子エレベーター(40)が独立した存在として目立たなくなり、居室(10)の美観を向上させることができる。
【００１９】
また、昇降体(53)は、駆動装置(54)を作動させることにより、上記ガイドレール(52)に沿って、住宅の上下方向に連続するエレベーター空間(51)内を水平方向における姿勢を一定にした状態でガイドレール(52)に沿って直線状に昇降するものである。その結果、居住者は、前記昇降体(53)の着座部(56)に着座することによって、座ったまま、住宅の他の階へ手軽に移動することができる。
【００２０】
従って、従来のようなホームエレベーターとは異なり、あくまでも居住者を座ったまま搬送することを前提としているため、搬送時の居住者の姿勢は所定の状態に拘束される。その結果、従来のような複数の居住者が立った姿勢のまま乗る場合に、居住者を保護する趣旨から必要があった、箱状に形成された一定の容積を有するエレベータ本体が不要となる。
【００２１】
従って、エレベーター空間(51)の幅寸法も従来のホームエレベーターの場合よりも、更に、小さくすることができ、非居室空間(12)も小さくすることができ、居住空間(11)の圧迫を小さくすることができる。
請求項４記載の発明は、請求項１、請求項２、または請求項３記載の発明を技術的に限定した発明であって、仕切板部材(30)に備えたエレベーター用開閉部(31)と収納用開閉部(32)とは同一の建具面材を使用して形成されていることを特徴とするエレベーターの設置構造である。
【００２２】
請求項４記載の発明の作用を説明する。
エレベーター用開閉部(31)と収納用開閉部(32)とは、仕切板部材(30)に隣接して形成する。このとき、エレベーター用開閉部(31)と収納用開閉部(32)とは、同一の建具面材を使用するため、外観品質が向上する。従って、外観が良好なエレベーターの設置構造を提供することができる。
【００２３】
【発明の実施の形態】
以下、添付図面に示す実施の形態に基づき、本発明にかかるエレベーターの設置構造を詳細に説明する。
ここで使用する図面は、図１ないし図５である。図１は、本発明の第一の実施の形態を示す斜視図であって、エレベーター用開閉部を閉じた状態を示す。図２は、請求項１記載の発明の一実施の形態を示す断面図であって、箱体をしたホームエレベーターの設置構造を示す。図３は、請求項２記載の発明の一実施の形態を示す斜視図であって、椅子式エレベーターの昇降体が居室に到着した場合において、エレベーター用開閉部を開けた状態を示す。図４は、請求項３記載の椅子式エレベーターの一実施の形態を示す断面図である。図５は、本発明の第二の実施の形態を示す断面図であって、エレベーターに中扉を備えた場合のエレベーターの設置構造である。
【００２４】
図２に示すエレベーターの設置構造は、居室１０に設けられたエレベーター４０の設置構造であって、居室１０において向かい合う壁２０，２１を渡すことによってその居室１０を居室空間１１と非居室空間１２とに仕切る仕切板部材３０を備え、その非居室空間１２にエレベーター４０の昇降体４１が到着するエレベーター空間４２を備えて使用する設置構造である。
【００２５】
そのエレベーター空間４２は、昇降体４１から居室空間１１への乗降可能とする出入口４３を備え、その出入口４３を仕切板部材３０に接して形成する。そのため、居室空間１１から居室１０の外へ出ることなく直接エレベーター４０を使用でき、他の階へ移動することができる。また、昇降体４１を上下動するための駆動部４４を備える。
【００２６】
また前記昇降体４１は、複数の居住者が同時に乗降しうる箱体に形成し、エレベーター空間４２は、昇降体４１が昇降可能となるような大きさに形成する。なお、エレベーター空間４２の平面方向の幅寸法は、ミサワホーム（株）製の住宅に設置されるエレベーターにあっては、１．８２ｍ×１．８２ｍとなっている。
前記非居室空間１２は、仕切板部材３０の内側で中仕切板部材１３によって、服を収納するクローゼット１４と、上記のエレベーター空間４２とに分けられる。クローゼット１４はクローゼットの他に押し入れとして形成してもよい。
【００２７】
仕切板部材３０は、図１に示すように、エレベーター用空間４２を開閉自在にできる折りたたみ戸３１と、クローゼット１４を開閉自在にできる折りたたみ戸３２とを備え、折りたたみ戸３１と折りたたみ戸３２とは、居室空間１１からみて面一に形成し、また、デザインも統一している。このため、折りたたみ戸３１および３２に一体感が生じ、居室１０の美観を向上させることができる。
【００２８】
折りたたみ戸３１はガラス部３３を備え、エレベーターが到着しているか否かを確認できるようにする。また折りたたみ戸３１には、エレベーター空間４２側に開閉を容易にするための取手を設けたりしてもよい。
本実施の形態に係るエレベーターの設置構造の作用を説明する。
エレベーター４０を使用しないときには、折りたたみ戸３１を閉じておく。そうすると、非居室空間１２の一部にエレベーター空間４２を形成するため、居室空間１１側からみて、エレベーター空間４２の出入口４３が目立たなくなる。また、クローゼット１４を開閉する折りたたみ戸３２と面一に形成し、かつデザインを統一することにより、居室１０の中においてエレベーター４０が目立たなくなり、居室１０の美観を向上させることができる。
【００２９】
図３においては、椅子式エレベーターの設置構造を示す。
本実施の形態は、居室１０に設けられた椅子式エレベーター５０の設置構造であって、前記居室１０は、向かい合う壁２０，２１を渡すことによってその居室１０を居室空間１１と非居室空間１２とに仕切る仕切板部材３０を備える。その非居住空間１２は、仕切板部材３０の内側で中仕切板部材１３により、椅子式エレベーター５０を形成するエレベーター空間５１と、クローゼット１４とに仕切られる。
【００３０】
そして、そのエレベーター空間５１は、前記床部５５を仕切板部材３０に接して形成し、その大きさは、昇降体５３を形成する床部５５の大きさよりもやや大きな寸法を有して形成するものとする。今回の実施の形態における椅子式エレベーターでは、約１平方メートルとなっている。
そして前記仕切板部材３０は、エレベーター用空間５１を開閉自在にできる折りたたみ戸３１とクローゼット１４を開閉自在にできる折りたたみ戸３２とを備え、折りたたみ戸３１と折りたたみ戸３２とを面一に形成する。折りたたみ戸３１には、図１に示すようにガラス部３３を設けてエレベーターが到着しているか否かを確認できるようにする。また折りたたみ戸３１には、エレベーター空間５１側に開閉を容易にするための取手を設けたりしてもよい。
【００３１】
椅子式エレベーター５０の構造を図３ないし図４に基づいて説明する。
椅子式エレベーター５０は、住宅内の上下方向に連続するエレベーター空間５１内に垂直に設けられたガイドレール５２を介して昇降可能に設けられた昇降体５３と、この昇降体５３を昇降動させうる駆動装置５４とを備えて形成する。その昇降体５３は、上記ガイドレール５２に昇降可能に固定された床部５５と、この床部５５上に設けられた着座部５６とを備え、水平方向における姿勢を一定にした状態でガイドレール５２に沿って直線状に昇降できるように形成する。
【００３２】
図４においては、着座部５６は床部５５に対して固定して形成しているが、着座部５６を折りたたみ可能に形成してもよい。その場合には、床部５５の上面に荷物を乗せることができ、居住者以外の物品をも他の階へ搬送することが可能となる。
また、椅子式エレベーター５０の駆動装置５４は、図４においては油圧ポンプ５７と油圧式シリンダ５８及びピストン５９とを備えた装置として形成する。その他、ウインチ装置、エアバック装置などを使用してもよい。さらに、ガードレールに沿って形成したラックと、このラックに歯合すると共に昇降体５３に形成したピニオンギアと、そのピニオンギアを回転させるモーター部とを備えた装置を使用してもよい。
【００３３】
本実施の形態にかかる発明の作用を説明する。
椅子式エレベーター５０を使用しないときには、折りたたみ戸３１を閉じておく。そうすると、非居室空間１２の一部にエレベーター空間５１を形成するため、居室空間１１側からみて、椅子式エレベーター５０を形成するガードレール５２や昇降体５３が居室空間１１から目立たなくなる。この場合、折りたたみ戸３１と折りたたみ戸３２とは面一に形成されるため、エレベーター空間５１とクローゼット１４とが一体的に見える。従って、居室１０の中において、椅子エレベーター５０が独立した存在として目立たなくなり、居室１０の美観を向上させることができる。
【００３４】
また、本実施の形態にかかる椅子式エレベーターにあっては、上記昇降体５３は、駆動装置５４を作動させることにより、上記ガイドレール５２に沿って、住宅の上下方向に連続するエレベーター空間５１内を水平方向における姿勢を一定にした状態でガイドレール５２に沿って直線状に昇降するものである。その結果、居住者は、前記昇降体５３の着座部５６に着座することによって、座ったまま、住宅の他の階へ手軽に移動することができる。
【００３５】
従って、従来のようなホームエレベーターとは異なり、あくまでも居住者を座ったまま搬送することを前提としているため、搬送時の居住者の姿勢は所定の状態に拘束される。その結果、従来のような複数の居住者が立った姿勢のまま乗る場合に、居住者を保護する趣旨から必要があった、箱状に形成された一定の容積を有するエレベータ本体が不要となる。
【００３６】
その結果、エレベーター空間５１の幅寸法も従来のホームエレベーターの場合よりも、更に、小さくすることができ、非居室空間１２を小さくすることができる。その結果、居住空間１１の圧迫を小さくすることができる。
次に本発明の第二の実施の形態について図５に基づき説明する。
図５のエレベーター４０は、エレベーター４０の出入口４３を開閉するため中扉４５を備える。この中扉４５は、壁２１寄りに重ねることによって、エレベーターの出入口４３を開ける。従って、エレベーター空間４２は、この中扉４５を収納するための空間をエレベーターの昇降体４１の幅に加えて備えている。従って、図２に示したエレベーター空間４２よりも広く形成している。その他の構成は、第一の実施の形態と同様である。
【００３７】
【発明の効果】
上記した発明により、居室の美観を損なうことなく、居室の内部にエレベーターを設置することができるエレベーターの設置構造を提供することができた。
【図面の簡単な説明】
【図１】  本発明の第一の実施の形態を示す斜視図である。
【図２】  請求項１および２記載の発明の一実施の形態を示す断面図である。
【図３】  請求項２および３記載の発明の一実施の形態を示す斜視図である。
【図４】  請求項３記載の椅子式エレベーターの一実施の形態を示す断面図である。
【図５】  本発明の第二の実施の形態を示す断面図である。
【符号の説明】
１０…居室、１１…居室空間、１２…非居室空間、１３…中仕切板部材、１４…収納空間、２０…壁、２１…壁、３０…仕切板部材、３１…折りたたみ戸、３２…折りたたみ戸、３３…ガラス部、４０…エレベーター、４１…昇降体、４２…エレベーター空間、４３…出入口、４４…駆動部、４５…中扉、５０…椅子式エレベーター、５１…エレベーター空間、５２…ガードレール、５３…昇降体、５４…駆動装置、５５…床部、５６…着座部、５７…油圧ポンプ、５８…油圧シリンダ、５９…ピストン部。
【図１】
0003803430.tif 000002
【図２】
0003803430.tif 000003
【図３】
0003803430.tif 000004
【図４】
0003803430.tif 000005
【図５】
0003803430.tif 000006